(57)【要約】【課題】穂先が十分に柔軟で且つ折れにくいものとしうるアウターガイド竿を提供する。【解決手段】本発明に係るアウターガイド竿は、竿状に形成された竿本体の外側に複数の釣糸ガイドが備えられてなるアウターガイド竿であって、前記釣糸ガイドの内、前記竿本体の先部に設けられたトップガイドには、金属線材が螺旋状に巻回されることにより筒状に形成され、内周側に釣糸を挿通させうるように構成されたガイド部が備えられてなり、該ガイド部は、竿本体から先方向に延出してなることを特徴とする。【選択図】　図１
2004135544.tif 000002
【特許請求の範囲】
【請求項１】
竿状に形成された竿本体（１）の外側に複数の釣糸ガイド（２、３）が備えられてなるアウターガイド竿であって、
前記釣糸ガイド（２，３）の内、前記竿本体（１）の先部に設けられたトップガイド（３）には、金属線材（６）が螺旋状に巻回されることにより筒状に形成され、内周側に釣糸を挿通させうるように構成されたガイド部（３ａ）が備えられてなり、
該ガイド部（３ａ）は、竿本体（１）から先方向に延出してなることを特徴とするアウターガイド竿。
【請求項２】
前記ガイド部（３ａ）には、外周面を被覆するフィルム（７）が設けられている請求項１記載のアウターガイド竿。
【発明の詳細な説明】
【０００１】
【発明の属する技術分野】
本発明は、竿状に形成された竿本体の外側に釣糸ガイドが備えられてなるアウターガイド竿に関し、特に、穂先の調子が柔軟な筏竿等に好適なアウターガイド竿に関する。
【０００２】
【従来の技術】
一般に、釣竿としては、釣糸を竿本体内に挿通させて穂先から出す中通し竿と、竿本体の外側に釣糸ガイドが備えられ、釣糸を竿本体の外側に沿わせて使用するアウターガイド竿とが知られている。
【０００３】
ところで、釣りの種類によっては、穂先の柔軟さが必要とされる場合あるところ、このように穂先の柔軟さが要求される釣りに於いては、竿本体内に釣糸を挿通させる必要がなく穂先径を比較的細くできることから、アウターガイド竿が主流となっている（例えば、特許文献１）。
【０００４】
【特許文献１】
特開２００２−２３３２７４号公報（図１）
【０００５】
しかしながら、このようなアウターガイド竿であっても、穂先を細くすると折れやすくなる等の問題があり、穂先を細くすることには限界があることから、自ずと穂先の柔軟さにも限界がある。
【０００６】
従って、釣りの種類、対象魚等によっては、穂先の柔軟さが不十分となる場合があり、更に穂先の柔軟なアウターガイド竿が要望されている。
特に、筏釣りに於いては、チヌ等の当たりの微妙な対象魚をフカセ釣りで釣る場合が多いことから、筏釣りに使用される筏竿としては、極めて穂先の柔軟なアウターガイド竿が要望されている。
【０００７】
【発明が解決しようとする課題】
そこで、本発明は、上記問題点及び要望に鑑み、穂先が十分に柔軟で且つ折れにくいものとしうるアウターガイド竿を提供することを課題とする。
【０００８】
【課題を解決するための手段】
上記課題を解決すべく、本発明に係るアウターガイド竿は、竿状に形成された竿本体の外側に複数の釣糸ガイドが備えられてなるアウターガイド竿であって、前記釣糸ガイドの内、前記竿本体の先部に設けられたトップガイドには、金属線材が螺旋状に巻回されることにより筒状に形成され、内周側に釣糸を挿通させうるように構成されたガイド部が備えられてなり、
該ガイド部は、竿本体から先方向に延出してなることを特徴とする。
【０００９】
斯かる構成からなるアウターガイド竿に於いては、トップガイドのガイド部が竿本体から先方向に延出してなるため、ガイド部が竿の穂先となり、しかも、穂先たる該ガイド部は、金属線材が螺旋状に巻回されることにより形成されてなるので、螺旋軸が屈曲する際に生じる応力を周方向に走る線材全体に分散させることができ、柔軟で折れにくいものとしうる。即ち、穂先の調子が非常に良好で、微細な当たり等に対しても十分に撓ると共に、撓りに対して粘り強く対応でき非常に折れにくい穂先を備えたものとしうる。
【００１０】
本発明に於いて、前記ガイド部には、外周面を被覆するフィルムが設けられてなるものが好ましい。
斯かる構成によれば、穂先の柔軟性を殆ど損なわないまま、螺旋状に巻回された金属線材に釣糸の絡まる虞が低減する。
【００１１】
【発明の実施の形態】
以下、本発明の実施の形態について、図面を参照しつつ説明する。
図１は、本実施形態のアウターガイド竿を示す側面斜視図である。
本実施形態のアウターガイド竿は、繊維強化樹脂からなる竿状に形成された竿本体１と、釣糸Ｌを竿本体１に沿わせるための複数の釣糸ガイド２、３とを備えて構成されている。
【００１２】
前記竿本体１は、繊維強化樹脂からなる複数の竿体（即ち、元竿１ａと穂先竿１ｂ）が並次式で連結されて構成されている。
前記竿体１ａ、１ｂは、それぞれ炭素繊維又はガラス繊維等の強化繊維が引き揃えられたシートにエポキシ樹脂等の樹脂を含浸させてなるプリプレグを、マンドレルに巻回し焼成することにより製造され、長尺状に形成されている。
【００１３】
前記竿体の内、元竿１ａには、リールＲを装着するためのリールシート９が備えられている。
尚、図１に於いては、該リールシート９にリールＲが装着されている状態が示されている。
【００１４】
前記釣糸ガイド２、３は、竿本体１の先部１ｂ１（即ち穂先竿の先部）と、該竿本体１の先部１ｂ１と元竿のリールシート９との間の所定複数箇所とに、それぞれ設けられている。
【００１５】
図２は、本実施形態の釣糸ガイド２、３を示す側面斜視図である。
前記釣糸ガイド２、３の内、竿本体１の先部１ｂ１に設けられた釣糸ガイド３は、一般にトップガイド３と称されており、該トップガイド３は、図２（イ）に示すように、筒状の形態を成し内周側に釣糸Ｌが挿通されるガイド部３ａと該ガイド部３ａを竿本体１に固定する固定部３ｂとを備えて構成されている。
【００１６】
前記ガイド部３ａは、金属線材６が螺旋状に巻回されることにより筒状に形成され、内周側に釣糸Ｌを挿通させうるように構成されている。尚、前記ガイド部３ａには、該ガイド部３ａの外周面（側面の周面）を被覆するフィルム７が貼着されている。前記トップガイド３は、このガイド部３ａが竿本体１から先方向（即ち、竿本体１が延長する方向）に延出するように、竿本体１の先部１ｂ１に固定されている。
前記ガイド部３ａの先部１ｂ１からの延出長さは、通常、１５〜８０ｍｍ、好ましくは３０〜５０ｍｍとされている。
【００１７】
前記金属線材６の単位長さ当たりの巻数は、４〜２０回／１０ｍｍに設定されている。
この金属線材６の断面円形の線材で、断面径（最長部分）は、通常、０．１５〜０．３ｍｍとされている。
また、前記コイル体の内径は、内側に釣糸Ｌが十分に挿通しうるように１．２〜１．８ｍｍ程度とされている。
【００１８】
前記ガイド部３ａの軸方向の長さは、通常、１５〜８０ｍｍ、好ましくは、３０〜５０ｍｍの範囲に設定されている。
【００１９】
前記金属線材６としては、鉄鋼線材、銅線材、ステンレス線材等を挙げることができる。
この金属線材６を構成する金属材料の弾性率は、通常、５０００〜５００００ｋｇ／ｍｍ２の範囲内であり、好ましくは、１５０００〜３００００ｋｇ／ｍｍ２の範囲内である。
【００２０】
前記フィルム７としては、実質上ガイド部３ａの柔軟性を殆ど阻害しないように、合成樹脂製のフィルム７が使用されている。
具体的には、ナイロン、ウレタン又は塩化ビニル等からなる厚さ５〜２００μｍのフィルムが使用されている。
【００２１】
前記固定部３ｂは、前記ガイド部３ａを構成する金属線材６の端部と連続する金属線材が螺旋軸方向に直線状とされて構成されている。
前記トップガイド３は、固定部３ｂを竿本体１の先部１ｂ１に接合させて外側から糸を巻回し、巻回された糸を接着剤で固定すること等により竿本体１の先部１ｂ１に固定されている。
【００２２】
前記トップガイド３以外の釣糸ガイド２は、金属又は合成樹脂等からなり、図２（ロ）に示すように、内側に釣糸Ｌを挿通させる環状のガイド部２ａと、該ガイド部２ａの一箇所から該ガイド部２ａの軸方向に沿って延在する固定部２ｂとを備えて構成されている。
この釣糸ガイド２は、トップガイド３と同様、糸を巻回することにより竿本体１の所定の箇所に固定されている。
【００２３】
本実施形態のアウターガイド竿は、リールＲから引き出された釣糸Ｌを順次竿尻側から先部１ｂ１側に向けて釣糸ガイド２のガイド部２ａに通し、最後にトップガイド３のガイド部３ａの内周側を通して使用することにより、ガイド部３ａを竿の穂先とすることができる。そして、該ガイド部３ａが、金属線材６が螺旋状に巻回されて形成されている構成であるが故、螺旋軸が屈曲する際に生じる応力を周方向に走る線材全体に分散させることができることから、より柔軟で折れにくいものに形成しうるという利点を有する。
【００２４】
尚、本実施形態のアウターガイド竿は、上記の如く構成されたが、本発明に於いては、上記構成に限定されず、適宜設計変更可能である。
例えば、本実施形態に於いて、トップガイド３のガイド部３ａには、外周面を被覆するフィルム７が設けられたが、図３に示すように、フィルム７が設けられず、金属線材７が露出している場合であっても本発明の意図する範囲内である。斯かる構成によれば、外周面がフィルム７で被覆されたものに比して、フィルム７のない分だけ、螺旋軸が屈曲する方向にガイド部３ａを屈曲させやすく、穂先の柔軟性がフィルム７に阻害される虞も無いものとなる。
【００２５】
【発明の効果】
以上のように、本発明に係るアウターガイド竿は、穂先を十分に柔軟なものにしうるという利点を有する。
【図面の簡単な説明】
【図１】本実施形態のアウターガイド竿を示す側面斜視図。
【図２】同実施形態の釣糸ガイドであって、
（イ）は、トップガイドを示す側面斜視図。
（ロ）は、それ以外の釣糸ガイドを示す側面斜視図。
【図３】他の実施形態のトップガイドを示す側面斜視図。
【符号の説明】
１・・・竿本体、２・・・釣糸ガイド、３・・・トップガイド（釣糸ガイド）、３ａ・・・トップガイドのガイド部、６・・・金属線材、７・・・フィルム
【図１】
2004135544.tif 000003
【図２】
2004135544.tif 000004
【図３】
2004135544.tif 000005